(57)【要約】【課題】海外の銀行に口座を持たない受取人が送金を受領する際の利便性を向上させることを可能とした引換証利用の外国送金処理システムを提供する。【解決手段】Ｗｅｂバンキングサーバ１０は、送金依頼人１００から引換証利用による外国送金の依頼を受けると、その受け入れ可否を勘定ホスト２００に問い合わせ、受け入れ可能と返答されると、送金引換証の受取用ＩＤおよびパスワードを発行して通知する。また、送金受取人２００から送金引換証の印刷データの転送を要求されると、送金依頼人１００に対して発行した受取用ＩＤおよびパスワードの入力を条件に、このパスワードを含む各種情報を示す２次元コードが刷り込まれた送金引換証の印刷データを転送する。そして、ＡＴＭにてこの送金引換証による送金の払い出し操作が行われると、パスワードの入力を要求し、２次元コードで示されるパスワードと一致したら、この送金金額の払い出しを実行する。【選択図】      図２
2006127453.tif 000002
【特許請求の範囲】
【請求項１】
海外の銀行に口座を持たない受取人への送金を取り扱う銀行の電算システムに適用される引換証利用の外国送金処理システムであって、
前記送金の依頼をネットワーク経由で受け付け、この送金依頼人に対して認証用の識別データおよびパスワードを発行する認証情報発行手段と、
前記認証情報発行手段により発行された前記識別データおよび前記パスワードの入力を条件に、前記送金の受領手続きに必要な送金引換証の印刷データを前記ネットワーク経由で転送する送金引換証発行手段と
を具備することを特徴とする引換証利用の外国送金処理システム。
【請求項２】
前記送金引換証発行手段は、前記パスワードを含む前記送金に関わる情報を示す光学的に読み取り可能な２次元コードを前記送金引換証上に表すためのイメージデータを前記印刷データに付与する手段を有することを特徴とする請求項１記載の引換証利用の外国送金処理システム。
【請求項３】
前記送金に関わる情報には、送金通貨、送金金額、送金依頼人等、送金を特定する情報が全て含まれることを特徴とする請求項２記載の引換証利用の外国送金処理システム。
【請求項４】
前記送金引換証発行手段により転送された前記印刷データで印刷された送金引換証を前記２次元コードで読み取り、前記送金を払い出す自動現金預入払出機をさらに具備することを特徴とする請求項２記載の引換証利用の外国送金処理システム。
【請求項５】
前記送金を一時的に保持する送金受取用の汎用口座と各顧客の預金を保持する個別口座とを管理し、前記送金の依頼が前記認証情報発行手段にて受け付けられた際、この送金依頼人の口座から送金受取用の汎用口座に送金金額を振り替える資金管理手段と、
前記送金受取用の汎用口座に基づき、前記自動現金預入払出機による前記送金金額の払い出しを制御する自動現金預入払出機制御手段と
をさらに具備することを特徴とする請求項４記載の引換証利用の外国送金処理システム。
【請求項６】
前記資金管理手段は、前記送金受取用の汎用口座に送金金額を振り替える際に指定された外貨への換算を行う手段を有することを特徴とする請求項５記載の引換証利用の外国送金処理システム。
【請求項７】
前記送金引換証発行手段による前記印刷データの転送時に、前記送金に関わる情報を含むファイルを前記ネットワーク経由で転送する送金情報提供手段をさらに具備することを特徴とする請求項１記載の外国送金処理システム。
【請求項８】
海外の銀行に口座を持たない受取人への送金を取り扱う銀行の電算システムに適用される引換証利用の外国送金処理システムであって、
前記送金の依頼をネットワーク経由で受け付け、この送金依頼人に対して認証用の識別データおよびパスワードを発行する認証情報発行手段と、
前記認証情報発行手段により発行された前記識別データおよび前記パスワードの入力を条件に、前記送金に関わる情報を含むファイルを前記ネットワーク経由で転送する送金情報提供手段と
を具備することを特徴とする引換証利用の外国送金処理システム。
【請求項９】
海外の銀行に口座を持たない受取人への送金を取り扱う銀行の電算システムに適用される引換証利用の外国送金処理方法であって、
前記送金の依頼をネットワーク経由で受け付け、この送金依頼人に対して認証用の識別データおよびパスワードを発行し、
前記発行した識別データおよびパスワードの入力を条件に、前記送金の受領手続きに必要な送金引換証の印刷データを前記ネットワーク経由で転送する
ことを特徴とする引換証利用の外国送金処理方法。
【請求項１０】
前記パスワードを含む前記送金に関わる情報を示す光学的に読み取り可能な２次元コードを前記送金引換証上に表すためのイメージデータを前記印刷データに付与し、
自動現金預入払出機によって、前記転送した印刷データで印刷された送金引換証を前記２次元コードで読み取り、前記送金を払い出すことを特徴とする請求項９記載の引換証利用の外国送金処理方法。
【請求項１１】
前記印刷データの転送時に、前記送金に関わる情報を含むファイルを前記ネットワーク経由で転送することを特徴とする請求項９記載の引換証利用の外国送金処理方法。
【請求項１２】
海外の銀行に口座を持たない受取人への送金を取り扱う銀行の電算システムに適用される引換証利用の外国送金処理方法であって、
前記送金の依頼をネットワーク経由で受け付け、この送金依頼人に対して認証用の識別データおよびパスワードを発行し、
前記発行した識別データおよびパスワードの入力を条件に、前記送金に関わる情報を含むファイルを前記ネットワーク経由で転送する
ことを特徴とする引換証利用の外国送金処理方法。
【発明の詳細な説明】
【技術分野】
【０００１】
この発明は、例えばインターネットを介して顧客に各種サービスを提供するために構築される銀行の電算システムに適用して好適な引換証利用の外国送金処理システムおよび外国送金処理方法に関する。
【背景技術】
【０００２】
例えば出張費用の補填、取引手付金の手当、医療費の支払い等により、海外の受取人宛てに送金する必要が生じた場合、その方法の一つとして、請求払いによる外国送金を銀行に依頼する方法がある。この請求払いによる外国送金では、送金依頼人は、自国の送金元銀行（仕向銀行）に、送金金額、受取人名、送金先銀行（被仕向銀行）、受取人のパスポート番号、送金目的などを申告して送金を依頼する。これにより、受取人は、現地の送金先銀行に口座を持っていなくとも、送金が到着したと思われる頃に、その送金先銀行を訪れれば、パスポートなどを提示することによって送金を受領することができる。
【０００３】
一方、この請求払いによる外国送金を受け付ける仕向銀行は、被仕向銀行に対し、金融機関の専用通信網であるＳＷＩＦＴネットワークを使って、申告された送金金額、受取人名、受取人のパスポート番号などを含む当該請求払いによる送金を通知する電文を送信すると共に、自行（仕向銀行）の勘定を引き落として相手行（被仕向銀行）の勘定に振り替えるように指示する電文、または自行の勘定を引き落として相手行の勘定に振り替えた旨を通知する電文を送信する。また、互いに勘定を持ち合うコルレス契約がない場合、それぞれが勘定を保有する経由銀行を介して、かかる処理を行っている。
【発明の開示】
【発明が解決しようとする課題】
【０００４】
ところで、この請求払いによる外国送金を利用する場合の多くは、前述した出張費用の補填、取引手付金の手当、医療費の支払い等、受取人が少しでも早く資金を必要としている場合である。しかしながら、仕向銀行および被仕向銀行との間で交わされる電文の受発信に時間を要したり、また、送金の到着時期が不明確なうえ、場合によっては、送金を受領できる被仕向銀行の店舗が限られたり、その窓口での手続きのみ、つまり営業時間内に限られてしまうなど、従前の請求払い送金処理では、資金を迅速かつ効率的に受領したいという受取人の要望に答えているとは必ずしも言えないのが現状であった。
【０００５】
この発明はこのような事情を考慮してなされたものであり、海外の銀行に口座を持たない受取人が送金を受領する際の利便性を向上させることを可能とした引換証利用の外国送金処理システムおよび外国送金処理方法を提供することを目的とする。
【課題を解決するための手段】
【０００６】
前述した目的を達成するために、この発明は、海外の銀行に口座を持たない受取人への送金を取り扱う銀行の電算システムに適用される引換証利用の外国送金処理システムであって、前記送金の依頼をネットワーク経由で受け付け、この送金依頼人に対して認証用の識別データおよびパスワードを発行する認証情報発行手段と、前記認証情報発行手段により発行された前記識別データおよび前記パスワードの入力を条件に、前記送金の受領手続きに必要な送金引換証の印刷データを前記ネットワーク経由で転送する送金引換証発行手段とを具備することを特徴とする。
【０００７】
また、この発明は、海外の銀行に口座を持たない受取人への送金を取り扱う銀行の電算システムに適用される引換証利用の外国送金処理方法であって、前記送金の依頼をネットワーク経由で受け付け、この送金依頼人に対して認証用の識別データおよびパスワードを発行し、前記発行した識別データおよびパスワードの入力を条件に、前記送金の受領手続きに必要な送金引換証の印刷データを前記ネットワーク経由で転送することを特徴とする。
【発明の効果】
【０００８】
この発明によれば、海外の銀行に口座を持たない受取人が送金を受領する際の利便性を向上させることを可能とした引換証利用の外国送金処理システムおよび外国送金処理方法を提供することができる。
【発明を実施するための最良の形態】
【０００９】
以下、図面を参照しながら本発明の実施形態を説明する。
【００１０】
（第１実施形態）
まず、本発明の第１実施形態について説明する。図１は、第１実施形態の引換証利用外国送金処理システムの概要を説明するための図である。
【００１１】
いま、Ａ国（例えば本邦）の送金依頼人１００がＢ国（例えば韓国）の送金受取人２００に対する送金をＸ銀行に依頼しようとしており、また、送金受取人２００は、Ｘ銀行の口座を含むＢ国で取り扱い可能な銀行口座を持っていないものとする。本実施形態の引換証利用外国送金処理システムは、このような送金受取人２００でも迅速かつ効率的に送金を受領可能とする支援サービスを提供するものであり、本サービスを利用して、引換証利用による外国送金を行う場合、送金依頼人１００は、Ｗｅｂサーバ上で公開されたＷｅｂページを閲覧可能なコンピュータ（顧客ＰＣ３０ａ）を使って、インターネット１経由でＸ銀行のｗｅｂバンキングサーバ１０に接続する。Ｘ銀行における勘定処理は、メインフレームなどと称される大型コンピュータである勘定ホスト２０が一元的に実行・管理しており、Ｗｅｂバンキングサーバ１０は、勘定処理に関しては、この勘定ホスト２０のＦＥＰ（Front-End-Processor）として、インターネット１上での窓口の役割を果たしている。このｗｅｂバンキングサーバ１０と勘定ホスト２０との間は、専用ネットワークによって相互接続されている。
【００１２】
Ｗｅｂサーバとしてインターネット１に接続されるＷｅｂバンキングサーバ１０は、第１に、自行の口座を持つ顧客からの引換証利用による送金の依頼をインターネット１経由で受け付け、各件毎に受取用のＩＤとパスワードとを発行する機能と、第２に、この受取用のＩＤおよびパスワードの入力を条件に、送金の受領手続きに必要な送金引換証の印刷データをインターネット１経由で送信する機能とを有している。つまり、このＷｅｂバンキングサーバ１０にインターネット１経由でアクセスして引換証利用による送金を依頼した送金依頼人１００は、その時点で、この件についての受取用のＩＤおよびパスワードの発行を受けることになる。また、この引換証利用による送金の依頼を受けたＷｅｂバンキングサーバ１０は、この送金情報を勘定ホスト２０に通知する。この通知を受けた勘定ホスト２０では、送金依頼人１００の口座から後述する送金受取用の汎用口座に送金金額を振り替える処理を実行し、また、必要に応じて、この振り替え時に、指定された外貨への換算を併せて実行する。
【００１３】
この受取用のＩＤおよびパスワードの発行を受けた送金依頼人１００は、例えば電子メールや電話等、何らかの方法によって、そのＩＤおよびパスワードを送金受取人２００に連絡する。そして、今度は、この連絡を受けた送金受取人２００が、Ｗｅｂサーバ上で公開されたＷｅｂページを閲覧可能なコンピュータ（顧客ＰＣ３０ｂ）を使って、インターネット１経由でＸ銀行のｗｅｂバンキングサーバ１０に接続し、送金の受領手続きに必要な送金引換証の印刷データの転送を要求する。この要求を受けたｗｅｂバンキングサーバ１０は、受取用のＩＤおよびパスワードの入力を要求し、送金受取人２００は、送金依頼人１００から連絡されたＩＤおよびパスワードを入力する。
【００１４】
正当なＩＤおよびパスワードが入力されると、ｗｅｂバンキングサーバ１０は、その件の送金受領手続き可能な送金引換証の印刷データを転送する。この印刷データには、パスワードを含む当該引換証利用による送金に関わる情報を示す光学的に読み取り可能な２次元コードのイメージデータが付与されており、プリンタにより印刷すると、送金引換証に２次元コードが刷り込まれるようになっている。そして、送金受取人２００は、この印刷データを例えば顧客ＰＣ３０ｂに接続されたプリンタで出力し、これにより得た送金引換証をＸ銀行の（Ｂ国における）営業店１０１に設置された自動現金預入払出機（ＡＴＭ）の挿入口に投入する。
【００１５】
このＡＴＭは、送金引換証に刷り込まれた２次元コードを読み取る機能を有し、読み取ったパスワードの入力を送金受取人２００に要求する。そして、正当なパスワードが入力されると、営業店１０１と勘定ホスト２０とを結ぶ専用回線を介して、送金の受領要求がＡＴＭから勘定ホスト２０に通知される。勘定ホスト２０は、送金受取用の汎用口座にその件の送金金額が振り替えられ、かつ、未受領の状態であれば、送金金額の払い出しを行わせるための制御情報をＡＴＭに返信する。これにより、送金受取人２００は、このＡＴＭが設置されている場所であれば、何時でも何処でも迅速かつ効率的に送金を受領することができる。
【００１６】
なお、この２次元コードを読み取る機能を有するＡＴＭが設置されていれば、送金依頼人１００が口座を持ち、送金を依頼したＸ銀行に限らず、他行の営業店でも送金の受領は可能である。例えば図１に示すＹ銀行の営業店２０１で同様の操作を行うと、Ｙ銀行の勘定ホスト２０２からＡＴＭネットワーク２を介してＸ銀行の勘定ホスト２０に送金の受領要求が通知させるので、互いに持ち合う勘定を振り替えることにより、Ｙ銀行の営業店２０１に設置されたＡＴＭが送金金額の払い出しを代行する。
【００１７】
図２は、本実施形態の引換証利用外国送金処理システムの機能構成を示すブロック図である。
【００１８】
Ｗｅｂバンキングサーバ１０は、ネットワークインタフェース部１１、Ｗｅｂサーバ部１２、送金受付部１３、ＩＤ／パスワード発行管理部１４、送金引換証発行管理部１５およびデータベース１６を備えている。ネットワークインタフェース部１１は、専用ネットワーク経由による勘定ホスト２０との間の通信を実行する。一方、Ｗｅｂサーバ部１２は、データベース１６にコンテンツとして格納されたＨＴＭＬファイルの転送要求を受け付ける手順で、インターネット１経由による顧客ＰＣ３０ａとの間の通信を実行する。
【００１９】
送金受付部１３は、顧客ＰＣ３０ａを操作する送金依頼人１００から引換証利用による送金が依頼された際、その送金金額以上の預金が送金依頼人１００の口座に存在するかどうか等、この依頼の受け入れ可否をネットワークインタフェース部１１経由で勘定ホスト２０に問い合わせる。そして、受け入れが可能である場合、送金受付部１３は、ＩＤ／パスワード発行管理部１４に対して、この件についての受取用のＩＤおよびパスワードの発行を指示し、発行された個人認証用のＩＤおよびパスワードをＷｅｂサーバ部１２経由で顧客ＰＣ３０ａに通知する。また、送金受付部１３は、この受取用のＩＤおよびパスワードを含む本件の引換証利用による送金に関する情報（送金引換証発行用データ）をデータベース１６に格納する。
【００２０】
ＩＤ／パスワード発行管理部１４は、送金受付部１３からの指示に応じて、その都度受取用のＩＤおよびパスワードを発行し、その各値を送金受付部１３に返却する。ＩＤおよびパスワードの発行は、例えばシステム時刻などを用いた特殊演算により不規則な値を無作為に作り出す方法によっても良いし、最後に発行したＩＤおよびパスワードの各値をデータベース１６に保持して、一意な値を採番すべくこれらの値をインクリメントしていく方法によっても良い。
【００２１】
送金引換証発行管理部１５は、顧客ＰＣ３０ｂを操作する送金受取人２００から送金引換証の印刷データの転送が要求された際、送金依頼人１００から連絡されているであろう受取用のＩＤおよびパスワードの入力を要求し、正当なＩＤおよびパスワードが入力されたら、データベース１６に格納された本件の引換証利用による送金に関する情報（送金引換証発行データ）に基づき、前述の２次元コードが付与された送金引換証の印刷データを作成してＷｅｂサーバ部１２経由で顧客ＰＣ３０ａに返送する。
【００２２】
勘定ホスト２０は、ネットワークインタフェース部２１、為替・資金管理部２２、ＡＴＭ処理部２３およびデータベース２４を備えている。ネットワークインタフェース部２１は、専用ネットワーク経由によるＷｅｂバンキングサーバ１０との間の通信を実行する。為替・資金管理部２２は、Ｗｅｂバンキングサーバ１０から引換証利用による送金依頼の受け入れ可否の問い合わせを受け、その送金金額以上の預金が送金依頼人１００の口座に存在するかをデータベース２４の顧客別勘定データから調べる。そして、存在すれば、受け入れが可能であるとＷｅｂバンキングサーバ１０に返答すると共に、その送金金額を顧客の口座から送金受取用の汎用口座に振り替える。また、為替・資金管理部２２は、必要であれば、この振り替え時に、指定された外貨への換算を併せて実行する。
【００２３】
ＡＴＭ処理部２３は、各地に設置されたＡＴＭを駆動制御しており、引換証利用による送金の払い出し要求を通知されると、データベース２４の受取用汎用勘定データを調べ、その件についての未受領の送金が存在すれば、その払い出しを行わせるための制御信号をＡＴＭに返送すると共に、この受取用汎用勘定データ上の送金を受領済みに変更し、その払い出しを行った旨を履歴データとしてデータベース２４記録しておく。この受領済みの受取用汎用勘定データ上の送金は、例えば日次、週次、月次などのバッチ処理によって削除される。
【００２４】
また、送金依頼人１００や送金受取人２００が使用する顧客ＰＣ３０ａ，ｂには、Ｗｅｂブラウザ部３１が設けられ、このＷｅｂブラウザ部３１によって、インターネット１経由によるＷｅｂバンキングサーバ１０へのアクセスが実行される。
【００２５】
次に、図３乃至図６を参照しながら、本実施形態の引換証利用外国送金処理システムにおけるサービス提供手順を説明する。
【００２６】
Ｗｅｂバンキングサーバ１０は、各種画面をＷｅｂブラウザに表示させるためのＨＴＭＬファイルを保持している。Ｗｅｂバンキングサーバ１０にアクセスした送金依頼人１００の顧客ＰＣ３０ａや送金受取人２００の表示装置には、まず、ホームページと称される画面が表示され、このホームページ上に埋め込まれたハイパーリンクを辿ることにより、図３に示す画面をこれら顧客ＰＣ３０ａ，ｂの表示装置に表示させることができる。そして、送金依頼人１００や送金受取人２００などの顧客は、引換証利用による外国送金の支援サービスを利用する場合、この画面上に「引換証利用外国送金サポートサービス」と記されたボタンａをマウスなどのポインティングデバイスで選択指示する。
【００２７】
ボタンａが選択指示されると、Ｗｅｂバンキングサーバ１０は、引換証利用による送金の依頼を行うのか、それとも送金を受領するための送金引換証の印刷を行うのかを選択する画面を表示させるためのＨＴＭＬファイルを転送する。図４には、このＨＴＭＬファイルによって顧客ＰＣ３０ａ，ｂ側で表示される画面例が示されている。図示のように、この画面では、「引換証利用専用送金依頼画面」および「送金引換証出力画面」のいずれの画面に移行するのかの指示を受け付ける。ここでは、まず、送金依頼人１００が引換証利用による外国送金を依頼する場合を想定し、「引換証利用専用送金依頼画面へ」と記されたボタンｂ１が選択指示されたものとする。
【００２８】
ボタンｂ１が選択指示されると、Ｗｅｂバンキングサーバ１０は、今度は、図５に示すような「引換証利用専用送金依頼画面」を送金依頼人１００の顧客ＰＣ３０ａに表示させるためのＨＴＭＬファイルを転送する。図示のように、この画面では、”依頼人名”、”受取人名”、”送金先国名／都市名”、”送金金額”、”送金代り金引落方法”、”送金目的”等の送金情報を入力するための各フィールドが設けられ、これらを入力して「送信」と記されたボタンｃを選択指示することにより、送金依頼人１００は、引換証利用による送金の依頼手続きを行うことができる。この依頼が受け入れられると、この件についての受取用のＩＤおよびパスワードが通知されてくるので、送金依頼人１００は、このＩＤおよびパスワードの各値を電話、電子メール等何らかの方法で送金受取人２００に連絡する。そして、この依頼を受け入れたシステム側では、勘定ホスト２０が、前述の口座振替や外貨換算を実行する。
【００２９】
一方、この受取用のＩＤおよびパスワードの連絡を受けた送金受取人２００は、送金引換証を印刷するために、図４に示した画面において、「送金引換証出力画面へ」と記されたボタンｂ２を選択指示する。このボタンｂ２が選択指示されると、Ｗｅｂバンキングサーバ１０は、図６に示すような「送金引換証出力画面」を送金受取人２００の顧客ＰＣ３０ｂに表示させるためのＨＴＭＬファイルを転送する。図示のように、本画面では、”受取用ＩＤ”、”受取用パスワード”を入力するための各フィールドが設けられ、送金依頼人１００から連絡されたＩＤおよびパスワードを各フィールドに入力して「送金引換証印刷」と記されたボタンｄを選択指示することにより、送金受取人２００は、この件についての送金引換証の印刷手続きを行うことができる。この送金引換証が印刷されれば、送金受取人２００は、都合の良い時にＡＴＭで送金金額を受領することが可能となる。送金依頼時に、外貨換算を含む送金受取用の汎用口座への振り替えがなされており、また、受取用のパスワードのチェックは２次元コードを読み取ったＡＴＭで行われているので、システム側では、この受領時においては、勘定ホスト２０が送金受取用の汎用口座を調べるだけで良く、払い出しを行わせるための制御信号を短時間で返送することができる。
【００３０】
次に、図７および図９のフローチャートを参照して、この引換証利用外国送金処理システムの動作手順を説明する。
【００３１】
図７は、引換証利用による送金の依頼を受け付ける際の動作フローである。
【００３２】
引換証利用による外国送金を依頼する顧客に対して、Ｗｅｂバンキングサーバ１０は、送金金額を含む当該送金に関する各種情報の入力を要求する（ステップＡ１）。この入力内容が送信されてくると、Ｗｅｂバンキングサーバ１０は、その受け入れ可否を勘定ホスト２０に問い合わせる（ステップＡ２）。この問い合わせに対し、勘定ホスト２０から受け入れ可能と返答されると（ステップＡ３のＹＥＳ）、Ｗｅｂバンキングサーバ１０は、本件についての受取用ＩＤおよびパスワードを発行して顧客に通知し（ステップＡ４）、また、受け入れ可能を返答した勘定ホスト２０は、口座振替や外貨換算などの当該引換証利用による送金用の勘定処理を実行する（ステップＡ５）。一方、勘定ホスト２０から受け入れ不可と返答されると（ステップＡ３のＮＯ）、Ｗｅｂバンキングサーバ１０は、この依頼を受け入れられない旨を顧客に返答する（ステップＡ６）。
【００３３】
図８は、送金引換証の印刷を要求された際の動作フローである。
【００３４】
送金引換証の印刷を要求する顧客に対して、Ｗｅｂバンキングサーバ１０は、受取用ＩＤおよびパスワードの入力を要求する（ステップＢ１）。そして、この入力内容が送信されてくると、Ｗｅｂバンキングサーバ１０は、その受取用ＩＤが存在し、かつ対応するパスワードが合致しているかどうか、つまり正しいかどうかを調べ（ステップＢ２）、この受取用ＩＤとパスワードとが正しければ（ステップＢ２のＹＥＳ）、このパスワードを含む各種情報を示す２次元コードのイメージデータが付与された送金引換証の印刷データを転送する（ステップＢ３）。一方、正しくなければ（ステップＢ２のＮＯ）、Ｗｅｂバンキングサーバ１０は、入力された受取用ＩＤおよびパスワードが正しくないため送金引換証の印刷を許可できない旨を顧客に返答する（ステップＢ４）。
【００３５】
また、図９は、印刷された送金引換証によりＡＴＭにて送金金額の払い出しを要求された際の動作フローである。
【００３６】
送金金額の払い出しを要求されると、まず、ＡＴＭにて、送金引換証に刷り込まれた２次元コードを読み取り（ステップＣ１）、また、顧客に対して、パスワードの入力を要求する（ステップＣ２）。次に、この読み取った２次元コードで示されるパスワードと入力されたパスワードとが一致するかどうかを調べ（ステップＣ３）、一致していれば（ステップＣ３のＹＥＳ）、ＡＴＭから勘定ホスト２０に対して、この払い出しを行って良いかどうかが問い合わせられる（ステップＣ４）。そして、払い出し許可が返答されると（ステップＣ４のＹＥＳ）、ＡＴＭは、読み取った２次元コードで示される送金金額の払い出しを行い（ステップＣ６）、一方、パスワードが不一致（ステップＣ３のＮＯ）または払い出し不許可が返答されると（ステップＣ４のＮＯ）、そのエラー内容を提示して送金金額の払い出しが行えない旨を顧客に返答する（ステップＣ６）。
【００３７】
以上のように、この引換証利用外国送金処理システムによれば、引換証利用による送金の依頼を送金依頼人から受けた際、受取用のＩＤおよびパスワードを発行し、この受取用のＩＤおよびパスワードの入力を条件に、このパスワードを含む各種情報を示す２次元コードが刷り込まれた送金引換証を印刷するための印刷データを転送する仕組みを備えるので、送金受取人は、好きな時にＡＴＭ設置場所に赴いて送金金額を受領することができるようになる。
【００３８】
なお、前述の実施形態においては、ＡＴＭにてパスワードの一致のみを確認する例を説明したが、送金引換証には、２次元コードが刷り込まれるので、パスワードに限らず、例えば送金目的や送金受取人のパスポート番号等、種々の情報をＡＴＭでの確認項目として設定することが可能である。
【００３９】
また、受取人が送金を受領する際のパスワード等は、２次元コードに暗号化して送金引換証に刷り込むほか、例えば勘定ホスト２０に保持させ、勘定ホスト２０によって入力パスワード等との一致不一致を確認するように変形することも可能である。
【００４０】
（第２実施形態）
次に、本発明の第２実施形態について説明する。
【００４１】
前述の第１実施形態では、現地で取り扱い可能な銀行口座を持たない送金受取人が送金依頼人からの送金を迅速かつ効率的に受領可能とするための支援サービスを提供する引換証利用外国送金処理システムについて説明したが、この引換証利用による送金処理の仕組みを活用して、第２実施形態では、さらに、送金依頼人から送金の依頼を受け付けた際に発生する当該送金依頼に関する送金情報を送金受取人に提供できるようにする。
【００４２】
図１０は、第２実施形態の引換証利用外国送金処理システムが提供する支援サービスの概要を説明するための図である。
【００４３】
いま、輸入業者である甲社と輸出業者である乙社とが取り引きを行っており、商品を受け取った甲社が、その代金を当該引換証利用外国送金処理システムを使ってＺ社に送金するものと想定する。つまり、買掛債務をもつ甲社が送金依頼人１００、売掛債権をもつ乙社が送金受取人２００となっているわけである。
【００４４】
輸出業者である乙社、つまり送金受取人２００は、取引相手である甲社、つまり送金依頼人１００からの送金を受けると、当該取り引きについての売掛債権を消し込む作業を行うことになる。そして、このような作業は電算化されてコンピュータによって処理されることが多いので、現地の被仕向銀行が仕向銀行から受信する当該送金に関する電文を利用することも考えられる。
【００４５】
しかしながら、仕向銀行と被仕向銀行との間に中継銀行が介在したりすると、電文中に含まれていたはずの売掛債権の消し込みを行うためのキー項目とするフィールドが欠落してしまったり、中継銀行の手数料が送金金額から差し引かれる等、売掛債権の消し込みのための情報が不足する場合も多い。
【００４６】
そこで、この第２実施形態の（仕向銀行側にて構築される）引換証利用外国送金処理システムでは、送金引換証の印刷データの転送要求を受けた際、受取用のＩＤおよびパスワードが入力されたら、さらに、この送金に関する情報のダウンロードも受け付ける。
【００４７】
より具体的に説明すると、送金依頼人１００が顧客ＰＣ３０ａを使ってインターネット１経由でＷｅｂバンキングサーバ１０にアクセスし、送金受取人２００への引換証利用による送金を依頼する場合、図５に示した「引換証利用専用送金依頼画面」に必要事項を入力するので、この入力により得た情報（図１０の送金データ）を、送金引換証を印刷するための印刷データとして用いるほか、例えばＣＳＶ形式やＸＭＬ形式のファイルに編集してダウンロードするサービス用にも使用する。
【００４８】
つまり、送金受取人２００が顧客ＰＣ３０ｂを使ってインターネット１経由でＷｅｂバンキングサーバ１０にアクセスし、送金依頼人１００から連絡された受け取り用のＩＤおよびパスワードを入力することにより、送金引換証の印刷データの転送を受ける際、併せて、当該送金に関する送金情報を含んだＣＳＶまたはＸＭＬ形式等のファイルの提供を受ける。このファイルをダウンロードした送金受取人２００は、これを自社（乙社）の業務システム３００に例えば端末３０１から入力する。これによって、例えば仕向銀行から発信されて被仕向銀行に到達した実際の電文では重大な欠落が発生していたり、あるいはその金額が変えられていた場合であっても、乙社業務システム３００には送金依頼人１００が入力したオリジナルの送金情報が取り込まれることになり、売掛債権の消し込み作業を効率的に行うことが可能となる。即ち、引換証利用外国送金処理システムとして、付加価値の高い支援サービスをさらに提供できることになる。
【００４９】
図１１は、この支援サービスをさらに提供する第２実施形態の引換証利用外国送金システムの機能構成を示すブロック図である。
【００５０】
図１１に示すように、この第２実施形態の引換証利用外国送金システムでは、第１実施形態の引換証利用外国送金システムの構成に加えて、送金データ提供管理部１７をさらに備えている。また、この第２実施形態の引換証利用外国送金システムでは、送金引換証発行管理部１５は、図１２に示すような「送金引換証出力画面」を送金受取人２００の顧客ＰＣ３０ｂに表示させるためのＨＴＭＬファイルを転送する。
【００５１】
この第２実施形態における「送金引換証出力画面」では、データベース１６に格納された引換証利用による送金に関する情報をダウンロードするための「送金データダウンロード」と記されたボタンｅが新設される。また、これに伴い、この画面上でのガイダンス表示は、送金引換証印刷ボタンおよび送金データダウンロードボタンのいずれかの押下を促す内容となっている。
【００５２】
そして、”受取用ＩＤ”および”受取用パスワード”のフィールドに正当な値が入力されるとともに、このボタンｅが押下されると、送金引換証発行管理部１５は、所定のファイル形式での送金情報の提供を送金データ提供管理部１７に依頼する。ボタンｅの近傍には、送金データをＣＳＶおよびＸＭＬのいずれの形式で受け取りたいのか、その”ファイル形式”を選択するためのスイッチが設けられており、送金引換証発行管理部１５は、このスイッチで選択されたファイル形式を送金データ提供管理部１７に通知する。
【００５３】
この依頼を受けた送金データ提供管理部１７は、データベース１６に格納された引換証利用による送金に関する情報を選択された形式のファイルの編集し、この編集したファイルをＷｅｂサーバ部１２経由で顧客ＰＣ３０ｂに転送する。
【００５４】
図１３は、第２実施形態の引換証利用外国送金システムにおいて送金引換証の印刷を要求された際の動作フローである。
【００５５】
送金引換証の印刷を要求する顧客に対して、Ｗｅｂバンキングサーバ１０は、受取用ＩＤおよびパスワードの入力を要求する（ステップＤ１）。そして、この入力内容が送信されてくると、Ｗｅｂバンキングサーバ１０は、その受取用ＩＤが存在し、かつ対応するパスワードが合致しているかどうか、つまり正しいかどうかを調べる（ステップＤ２）。
【００５６】
もし、受取用ＩＤとパスワードとが正しければ（ステップＤ２のＹＥＳ）、Ｗｅｂバンキングサーバ１０は、「送金引換証印刷」ボタンおよび「送金データダウンロード」ボタンのいずれの押下であったかを調べ（ステップＤ３）、「送金引換証印刷」ボタンの押下であれば（ステップＤ３のＹＥＳ）、このパスワードを含む各種情報を示す２次元コードのイメージデータが付与された送金引換証の印刷データを転送する（ステップＤ４）。また、「送金データダウンロード」ボタンの押下であれば（ステップＤ３のＮＯ）、Ｗｅｂバンキングサーバ１０は、当該送金引換証による送金に関する情報を含むファイルを、このボタン押下時に選択された形式で編集して転送する（ステップＤ５）。
【００５７】
一方、受取用ＩＤおよびパスワードが正しくなければ（ステップＤ２のＮＯ）、Ｗｅｂバンキングサーバ１０は、入力された受取用ＩＤおよびパスワードが正しくないため送金引換証の印刷を許可できない旨を顧客に返答する（ステップＤ６）。
【００５８】
以上のように、この引換証利用外国送金処理システムによれば、さらに、例えば引換証利用による送金に対応する売掛債権の消し込みに利用可能な送金データを提供する仕組みを備えるので、送金受取人は、この売掛債権の消し込み作業を効率的に行うことができるようになる。
【００５９】
なお、前述の実施形態においては、ＣＳＶ形式やＸＭＬ形式のファイルに編集して送金引換証による送金に関する情報を提供する例を示したが、これに代えて、売掛債権の消し込み作業時に参照したり、あるいはＯＣＲで読み込み可能な帳票を印刷するための印刷データとして転送するようにしてもよい。
【００６０】
つまり、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６１】
【図１】この発明の第１実施形態の引換証利用外国送金処理システムの概要を説明するための図
【図２】同第１実施形態の引換証利用外国送金処理システムの機能構成を示すブロック図
【図３】同第１実施形態の引換証利用外国送金処理システムにおいて顧客ＰＣに表示される画面を例示する第１の図
【図４】同第１実施形態の引換証利用外国送金処理システムにおいて顧客ＰＣに表示される画面を例示する第２の図
【図５】同第１実施形態の引換証利用外国送金処理システムにおいて顧客ＰＣに表示される画面を例示する第３の図
【図６】同第１実施形態の引換証利用外国送金処理システムにおいて顧客ＰＣに表示される画面を例示する第４の図
【図７】同第１実施形態の引換証利用外国送金処理システムにおいて引換証利用による送金の依頼を受け付ける際の動作フロー
【図８】同第１実施形態の引換証利用外国送金処理システムにおいて送金引換証の印刷を要求された際の動作フロー
【図９】同第１実施形態の引換証利用外国送金処理システムにおいて印刷された送金引換証によりＡＴＭにて送金金額の払い出しを要求された際の動作フロー
【図１０】同第２実施形態の引換証利用外国送金処理システムが提供する支援サービスの概要を説明するための図
【図１１】同第２実施形態の引換証利用外国送金システムの機能構成を示すブロック図
【図１２】同第２実施形態の引換証利用外国送金処理システムにおいて顧客ＰＣに表示される画面を例示する図
【図１３】同第２実施形態の引換証利用外国送金システムにおいて送金引換証の印刷を要求された際の動作フロー
【符号の説明】
【００６２】
１…インターネット、２…ＡＴＭネットワーク、１０…Ｗｅｂバンキングサーバ、１１…ネットワークインタフェース部、１２…Ｗｅｂサーバ部、１３…送金受付部、１４…ＩＤ／パスワード発行管理部、１５…送金引換証発行管理部、１６…データベース、１７…送金データ提供管理部、２０…勘定ホスト、２１…ネットワークインタフェース部、２２…為替・資金管理部、２３…ＡＴＭ処理部、２４…データベース、３０ａ，ｂ…顧客ＰＣ、３１…Ｗｅｂブラウザ部。
【図１】
2006127453.tif 000003
【図２】
2006127453.tif 000004
【図３】
2006127453.tif 000005
【図４】
2006127453.tif 000006
【図５】
2006127453.tif 000007
【図６】
2006127453.tif 000008
【図７】
2006127453.tif 000009
【図８】
2006127453.tif 000010
【図９】
2006127453.tif 000011
【図１０】
2006127453.tif 000012
【図１１】
2006127453.tif 000013
【図１２】
2006127453.tif 000014
【図１３】
2006127453.tif 000015